【手続補正書】
【提出日】平成26年8月6日(2014.8.6)
【手続補正１】
【補正対象書類名】特許請求の範囲
【補正対象項目名】全文
【補正方法】変更
【補正の内容】
【特許請求の範囲】
【請求項１】
無線通信システムにおけるマップ情報転送のための基地局動作の方法において、
マップ情報ビットをランダム化するためのシード（Ｓｅｅｄ）値を決定する過程と、
前記シード値及び加入者識別子（Ｓｔａｔｉｏｎ  Ｉｄｅｎｔｉｆｉｅｒ：ＳＴＩＤ）を含むＭＡＣ制御メッセージを構成する過程と、
前記ＭＡＣ制御メッセージを端末に転送する過程と、を含み、
前記加入者識別子はＣＲＣ（Ｃｙｃｌｉｃ  Ｒｅｄｕｎｄａｎｃｙ  Ｃｈｅｃｋ）マスクマスキングコードとして使用されることを特徴とする方法。
【請求項２】
前記ＭＡＣ制御メッセージは、ネットワーク進入の際、端末から受信されたレンジング要請（ＡＡＩ−ＲＮＧ−ＲＥＱ）メッセージに応答して基地局によって転送されるレンジング応答（ＡＡＩ−ＲＮＧ−ＲＳＰ）メッセージ、ネットワーク進入の途中、一般端末能力（ｇｅｎｅｒａｌ  ＡＭＳ  ｃａｐａｂｉｌｉｔｉｅｓ）を交渉して登録する（ｄｏ  ｒｅｇｉｓｔｒａｔｉｏｎ）ために、端末から受信された登録要請（ＡＡＩ−ＲＥＧ−ＲＥＱ）メッセージに受信された登録要請（ＡＡＩ−ＲＥＧ−ＲＥＱ）メッセージに応答して基地局によって転送される登録応答メッセージ（ＡＡＩ−ＲＥＧ−ＲＳＴ）、ハンドオーバーの手順を始める（ｉｎｉｔｉａｔｅ）ために、或いは端末によって転送されたハンドオーバー要請メッセージ（ＡＡＩ−ＨＯ−ＲＥＱ）に応答して基地局によって転送されるハンドオーバー命令（ＡＡＩ−ＨＯ−ＣＭＤ）メッセージのうち一つであることを特徴とする請求項１に記載の方法。
【請求項３】
前記加入者識別子は、ＣＲＣマスクマスキングコードとして使用される際、前記シード値は前記マップ情報ビットをスクランブルするために使用される疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機を初期化するために使用されることを特徴とする請求項１に記載の方法。
【請求項４】
前記シード値を利用してシーケンスを生成し、生成されたシーケンスとマップ情報ビットをＸＯＲ演算して前記マップ情報ビットをランダム化する過程と、
前記ＣＲＣマスクマスキングコードを利用して１６ビットＣＲＣをマスキングする過程と、
前記ランダム化されたマップ情報ビットにマスキングされた１６ビットＣＲＣを追加する過程と、
前記マスキングされたＣＲＣが追加されたランダム化されたマップ情報を転送する過程と、を含むことを特徴とする請求項１に記載の方法。
【請求項５】
前記ＣＲＣマスクマスキングコードは、
ｍａｓｋｉｎｇ  ｐｒｅｆｉｘ（１ビット）と最下位ビット（Ｌｅａｓｔ  Ｓｉｇｎｉｆｉｃａｎｔ  Ｂｉｔ：ＬＢＳ）（１５ビット）で構成され、
ｍａｓｋｉｎｇ  ｐｒｅｆｉｘが「０」であるとき、最下位ビットである１５ビットはＴｙｐｅ  ｉｎｄｉｃａｔｏｒ（３ビット）、そしてｍａｓｋｉｎｇ  ｃｏｄｅ（１２ビット）で構成され、ｍａｓｋｉｎｇ  ｐｒｅｆｉｘが「１」であるとき、最下位ビットである１５ビットとしてＲＡＩＤ（Ｒａｎｄｏｍ  Ａｃｃｅｓｓ  ＩＤ）を使用することを特徴とする請求項１に記載の方法。
【請求項６】
前記シード値はあらかじめ決定された時間の後に初期値から変化する時間可変性値（ｔｉｍｅ−ｖａｒｙｉｎｇ  ｖａｌｕｅ）であることを特徴とする請求項１に記載の方法。
【請求項７】
前記基地局及び前記端末は前記あらかじめ決定された時間の後に前記シード値を変更する共有された時間可変性関数（ｔｉｍｅ−ｖａｒｙｉｎｇ  ｆｕｎｃｔｉｏｎ）に同期化されることを特徴とする請求項６に記載の方法。
【請求項８】
前記加入者識別子が前記ＣＲＣマスクマスキングコードではない場合、疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機の初期ベクターは、マスキングプレフィックス（ｍａｓｋｉｎｇ  ｐｒｅｆｉｘ）（１ビット）を除く前記ＣＲＣマスクマスキングコードと同じであることを特徴とする請求項１に記載の方法。
【請求項９】
無線通信システムにおけるマップ情報受信のための端末動作の方法において、
ネットワーク進入の手順の際、マップ情報ビットをランダム化するためのシード（Ｓｅｅｄ）値及び加入者識別子（Ｓｔａｔｉｏｎ  Ｉｄｅｎｔｉｆｉｅｒ：ＳＴＩＤ）を含むＭＡＣ制御メッセージを基地局から受信する過程と、
前記ＭＡＣ制御メッセージから前記シード値及び前記加入者識別子を抽出する過程と、
前記シード値及び前記加入者識別子に基づき、前記マップ情報ビットを復号する過程と、を含み、
前記加入者識別子はＣＲＣ（Ｃｙｃｌｉｃ  Ｒｅｄｕｎｄａｎｃｙ  Ｃｈｅｃｋ）マスクマスキングコードとして使用されることを特徴とする方法。
【請求項１０】
前記ＭＡＣ制御メッセージは、ネットワーク進入の際、端末から受信されたレンジング要請（ＡＡＩ−ＲＮＧ−ＲＥＱ）メッセージに応答して基地局によって転送されるレンジング応答（ＡＡＩ−ＲＮＧ−ＲＳＰ）メッセージ、ネットワーク進入の途中、一般端末能力（ｇｅｎｅｒａｌ  ＡＭＳ  ｃａｐａｂｉｌｉｔｉｅｓ）を交渉して登録する（ｄｏ  ｒｅｇｉｓｔｒａｔｉｏｎ）ために、端末から受信された登録要請（ＡＡＩ−ＲＥＧ−ＲＥＱ）メッセージに受信された登録要請（ＡＡＩ−ＲＥＧ−ＲＥＱ）メッセージに応答して基地局によって転送される登録応答メッセージ（ＡＡＩ−ＲＥＧ−ＲＳＴ）、ハンドオーバーの手順を始める（ｉｎｉｔｉａｔｅ）ために、或いは端末によって転送されたハンドオーバー要請メッセージ（ＡＡＩ−ＨＯ−ＲＥＱ）に応答して基地局によって転送されるハンドオーバー命令（ＡＡＩ−ＨＯ−ＣＭＤ）メッセージのうち一つであることを特徴とする請求項９に記載の方法。
【請求項１１】
前記加入者識別子は、ＣＲＣマスクマスキングコードとして使用される際、前記シード値は前記マップ情報ビットをスクランブルするために使用される疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機を初期化するために使用されることを特徴とする請求項９に記載の方法。
【請求項１２】
前記シード値及び前記加入者識別子に基づき、前記マップ情報ビットを復号する過程は、
前記マップ情報ビットに含まれたマスクされたＣＲＣをＣＲＣマスクマスキングコードを利用して復元する過程と、
前記復元されたＣＲＣを利用してＣＲＣチェックを行った後、ランダム化のためのシード値を利用してシーケンスを生成する過程と、
生成されたシーケンスと前記ランダム化されたマップ情報ビットをＸＯＲ演算し、前記マップ情報ビットを逆ランダム化する過程と、を含むことを特徴とする請求項９に記載の方法。
【請求項１３】
前記ＣＲＣマスクマスキングコードは、
ｍａｓｋｉｎｇ  ｐｒｅｆｉｘ（１ビット）と最下位ビット（１５ビット）で構成され、
ｍａｓｋｉｎｇ  ｐｒｅｆｉｘが「０」であるとき、最下位ビットである１５ビットはＴｙｐｅ  ｉｎｄｉｃａｔｏｒ（３ビット）、そしてｍａｓｋｉｎｇ  ｃｏｄｅ（１２ビット）で構成され、ｍａｓｋｉｎｇ  ｐｒｅｆｉｘが「１」であるとき、最下位ビットである１５ビットとしてＲＡＩＤ（Ｒａｎｄｏｍ  Ａｃｃｅｓｓ  ＩＤ）を使用することを特徴とする請求項９に記載の方法。
【請求項１４】
前記加入者識別子が前記ＣＲＣマスクマスキングコードではない場合、疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機の初期ベクターは、マスキングプレフィックス（ｍａｓｋｉｎｇ  ｐｒｅｆｉｘ）(１ビット)を除く前記ＣＲＣマスクマスキングコードと同じであることを特徴とする請求項９に記載の方法。
【請求項１５】
無線通信システムにおけるマップ情報転送のための基地局装置において、
マップ情報ビットをランダム化するためのシード（Ｓｅｅｄ）値を決定し、
前記シード値及び加入者識別子（Ｓｔａｔｉｏｎ  Ｉｄｅｎｔｉｆｉｅｒ：ＳＴＩＤ）を含むＭＡＣ制御メッセージを構成する制御部と、
前記ＭＡＣ制御メッセージを端末に転送する送信部と、を含み、
前記加入者識別子はＣＲＣ（Ｃｙｃｌｉｃ  Ｒｅｄｕｎｄａｎｃｙ  Ｃｈｅｃｋ）マスクマスキングコードとして使用されることを特徴とする装置。
【請求項１６】
前記ＭＡＣ制御メッセージは、ネットワーク進入の際、端末から受信されたレンジング要請（ＡＡＩ−ＲＮＧ−ＲＥＱ）メッセージに応答して基地局によって転送されるレンジング応答（ＡＡＩ−ＲＮＧ−ＲＳＰ）メッセージ、ネットワーク進入の途中、一般端末能力（ｇｅｎｅｒａｌ  ＡＭＳ  ｃａｐａｂｉｌｉｔｉｅｓ）を交渉して登録する（ｄｏ  ｒｅｇｉｓｔｒａｔｉｏｎ）ために、端末から受信された登録要請（ＡＡＩ−ＲＥＧ−ＲＥＱ）メッセージに受信された登録要請（ＡＡＩ−ＲＥＧ−ＲＥＱ）メッセージに応答して基地局によって転送される登録応答メッセージ（ＡＡＩ−ＲＥＧ−ＲＳＴ）、ハンドオーバーの手順を始める（ｉｎｉｔｉａｔｅ）ために、或いは端末によって転送されたハンドオーバー要請メッセージ（ＡＡＩ−ＨＯ−ＲＥＱ）に応答して基地局によって転送されるハンドオーバー命令（ＡＡＩ−ＨＯ−ＣＭＤ）メッセージのうち一つであることを特徴とする請求項１５に記載の装置。
【請求項１７】
前記加入者識別子は、ＣＲＣマスクマスキングコードとして使用される際、前記シード値は前記マップ情報ビットをスクランブルするために使用される疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機を初期化するために使用されることを特徴とする請求項１５に記載の装置。
【請求項１８】
前記シード値を利用してシーケンスを生成し、生成されたシーケンスとマップ情報ビットをＸＯＲ演算して前記マップ情報ビットをランダム化するランダム化機と、
ＣＲＣマスクマスキングコードを利用して１６ビットＣＲＣをマスキングするＣＲＣマスク部と、
前記ランダム化されたマップ情報ビットにマスキングされた１６ビットＣＲＣを追加するＣＲＣ挿入機と、
前記マスキングされ、ＣＲＣが追加され、ランダム化されたマップ情報をエンコーディングするチャンネルコーディング部と、
前記エンコーディングされたマップ情報を変調する変調器と、を含むことを特徴とする請求項１５に記載の装置。
【請求項１９】
前記ＣＲＣマスクマスキングコードは、
ｍａｓｋｉｎｇ  ｐｒｅｆｉｘ（１ビット）と最下位ビット（１５ビット）で構成され、
ｍａｓｋｉｎｇ  ｐｒｅｆｉｘが「０」であるとき、最下位ビットである１５ビットはＴｙｐｅ  ｉｎｄｉｃａｔｏｒ（３ビット）、そしてｍａｓｋｉｎｇ  ｃｏｄｅ（１２ビット）で構成され、ｍａｓｋｉｎｇ  ｐｒｅｆｉｘが「１」であるとき、最下位ビットである１５ビットとしてＲＡＩＤ（Ｒａｎｄｏｍ  Ａｃｃｅｓｓ  ＩＤ）を使用することを特徴とする請求項１５に記載の装置。
【請求項２０】
前記加入者識別子が前記ＣＲＣマスクマスキングコードではない場合、疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機の初期ベクターは、マスキングプレフィックス（ｍａｓｋｉｎｇ  ｐｒｅｆｉｘ）(１ビット)を除く前記ＣＲＣマスクマスキングコードと同じであることを特徴とする請求項１５に記載の装置。
【請求項２１】
無線通信システムにおけるマップ情報受信のための端末装置において、
ネットワーク進入の手順の際、マップ情報ビットをランダム化するためのシード（Ｓｅｅｄ）値及び加入者識別子（Ｓｔａｔｉｏｎ  Ｉｄｅｎｔｉｆｉｅｒ：ＳＴＩＤ）を含むＭＡＣ制御メッセージを基地局から受信する受信部と、
前記ＭＡＣ制御メッセージから前記シード値及び前記加入者識別子を抽出し、
前記シード値及び前記加入者識別子に基づき、前記マップ情報ビットを復号する復号部と、を含み、
前記加入者識別子はＣＲＣ（Ｃｙｃｌｉｃ  Ｒｅｄｕｎｄａｎｃｙ  Ｃｈｅｃｋ）マスクマスキングコードとして使用されることを特徴とする装置。
【請求項２２】
前記ＭＡＣ制御メッセージは、ネットワーク進入の際、端末から受信されたレンジング要請（ＡＡＩ−ＲＮＧ−ＲＥＱ）メッセージに応答して基地局によって転送されるレンジング応答（ＡＡＩ−ＲＮＧ−ＲＳＰ）メッセージ、ネットワーク進入の途中、一般端末能力（ｇｅｎｅｒａｌ  ＡＭＳ  ｃａｐａｂｉｌｉｔｉｅｓ）を交渉して登録する（ｄｏ  ｒｅｇｉｓｔｒａｔｉｏｎ）ために、端末から受信された登録要請（ＡＡＩ−ＲＥＧ−ＲＥＱ）メッセージに受信された登録要請（ＡＡＩ−ＲＥＧ−ＲＥＱ）メッセージに応答して基地局によって転送される登録応答メッセージ（ＡＡＩ−ＲＥＧ−ＲＳＴ）、ハンドオーバーの手順を始める（ｉｎｉｔｉａｔｅ）ために、或いは端末によって転送されたハンドオーバー要請メッセージ（ＡＡＩ−ＨＯ−ＲＥＱ）に応答して基地局によって転送されるハンドオーバー命令（ＡＡＩ−ＨＯ−ＣＭＤ）メッセージのうち一つであることを特徴とする請求項２１に記載の装置。
【請求項２３】
前記加入者識別子は、ＣＲＣマスクマスキングコードとして使用される際、前記シード値は前記マップ情報ビットをスクランブルするために使用される疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機を初期化するために使用されることを特徴とする請求項２１に記載の装置。
【請求項２４】
前記復号部は、
前記マップ情報ビットに含まれたマスクされたＣＲＣをＣＲＣマスクマスキングコードを利用して復元し、
前記復元されたＣＲＣを利用してＣＲＣチェックを行うＣＲＣチェック部と、
ランダム化のためのシード値を利用してシーケンスを生成し、生成されたシーケンスと前記ランダム化されたマップ情報ビットをＸＯＲ演算し、前記マップ情報ビットを逆ランダム化する逆ランダム化機と、を含むことを特徴とする請求項２１に記載の装置。
【請求項２５】
前記ＣＲＣマスクマスキングコードは、
ｍａｓｋｉｎｇ  ｐｒｅｆｉｘ（１ビット）と最下位ビット（１５ビット）で構成され、
ｍａｓｋｉｎｇ  ｐｒｅｆｉｘが「０」であるとき、最下位ビットである１５ビットはＴｙｐｅ  ｉｎｄｉｃａｔｏｒ（３ビット）、そしてｍａｓｋｉｎｇ  ｃｏｄｅ（１２ビット）で構成され、ｍａｓｋｉｎｇ  ｐｒｅｆｉｘが「１」であるとき、最下位ビットである１５ビットでＲＡＩＤ（Ｒａｎｄｏｍ  Ａｃｃｅｓｓ  ＩＤ）を使用することを特徴とする請求項２１に記載の装置。